(57)【要約】【課題】ＴＣＰやＴＣＰに実装されるドライバＩＣに無理な力がかかることなく回路基板を分離できる表示パネル保持部材または表示装置を提供すること。【解決手段】表示パネル２１に接続される回路基板２４の面方向に交差する方向に弾性変形が可能な弾性アーム１３１と、この弾性アーム１３１に設けられ前記回路基板に係合可能な係合爪１３２と、この弾性アーム１３１に設けられる操作突起１３３とを有する保持片１３ａを備え、この保持片１３ａにより表示パネル２１に接続される回路基板２４を保持するとともに、分解時においては、操作突起１３３を付勢することによって前記弾性アーム１３１が弾性変形し、係合片１３２が回路基板２４から分離して係合が解除されるように構成する。【選択図】図１
2008003242.tif 000002
【特許請求の範囲】
【請求項１】
表示パネルと該表示パネルに直接または間接に接続される回路基板とを保持する表示パネル保持部材であって、前記回路基板を弾発的に保持する保持片を備えることを特徴とする表示パネル保持部材。
【請求項２】
前記保持片は、前記回路基板の面方向に交差する方向に弾性変形が可能であることを特徴とする請求項１に記載の表示パネル保持部材。
【請求項３】
前記保持片は、弾性変形可能な弾性アームと、該弾性アームに設けられ前記回路基板に係合可能な係合片とを備え、前記弾性アームが前記回路基板の面方向に交差する方向に弾性変形すると前記係合片が前記回路基板から離脱することを特徴とする請求項１または請求項２に記載の表示パネル保持部材。
【請求項４】
前記弾性アームにはさらに突起が設けられ、該突起に付勢力が加わると前記弾性アームが弾性変形するように構成したことを特徴とする請求項３に記載の表示パネル保持部材。
【請求項５】
前記表示パネルを配設する面に交差する方向に延伸する壁面を備え、前記保持部材は前記壁面に設けられることを特徴とする請求項１から請求項４のいずれかに記載の表示パネル保持部材。
【請求項６】
前記弾性アームは、前記壁面と略同一面内に延伸して設けられることを特徴とする請求項５に記載の表示パネル保持部材。
【請求項７】
前記弾性アームは、前記壁面と略平行に延伸して設けられることを特徴とする請求項５に記載の表示パネル保持部材。
【請求項８】
請求項１から請求項７のいずれかに記載の表示パネル保持部材と、回路基板が直接または間接に接続される表示パネルとを備え、前記回路基板は前記表示パネル保持部材に設けられる保持片により保持されることを特徴とする表示装置。
【発明の詳細な説明】
【技術分野】
【０００１】
本発明は、表示パネル保持部材および表示装置に関するものである。
【背景技術】
【０００２】
アクティブマトリックスタイプの液晶パネルなどといった表示パネルは、液晶パネルを駆動するドライバＩＣなどが実装されるＴＣＰや回路基板などを装着して用いることがある。たとえば液晶表示装置には、ＴＣＰや回路基板などが装着された液晶パネルが組み込まれる構成のものがある。
【０００３】
図１５は、液晶表示装置の構成の従来例を模式的に示した分解斜視図である。図１５に示すようにこの液晶表示装置９は、液晶パネル９１と、この液晶パネル９１を支持する表示パネル保持部材９２と、液晶パネル９１を制御するコントロール信号を生成するコントロール回路基板９３と、その他の所定の部材とを備える。
【０００４】
液晶パネル９１の長辺には、ソースドライバが実装される複数のＴＣＰ９１１が装着される。これらのＴＣＰ９１１は、一枚または複数枚の回路基板９１２に接続される。また液晶パネル９１の短辺には、ゲートドライバが実装される複数のＴＣＰ９１３が装着される。回路基板９１２はコントロール回路基板９３が生成したコントロール信号などを受信し、各ＴＣＰ９１１，９１３に分配する。そして各ＴＣＰ９１１，９１３に実装されるソースドライバまたはゲートドライバは、分配されたコントロール信号などに基づいて、液晶パネル９１を駆動する。
【０００５】
液晶パネル９１を支持する表示パネル保持部材９２は、開口した略四辺形の形状を有し、各辺には背面側（図中においては下側）に向かって起立する側壁が設けられる。そして表示パネル保持部材９２の前面側（図中においては上側）には液晶パネル９１が配設され、側壁の外周面には回路基板９１２が装着される。
【０００６】
前記回路基板９１２を表示パネル保持部材９２の側壁に固定する構成としては、たとえばネジを用いる構成が用いられている。ネジを用いる構成によれば、回路基板９１２を表示パネル保持部材９２の側壁に確実に固定することができるが、組立時または分解時にネジの締結作業または緩める作業が必要となるから、作業に手間を要する。
【０００７】
ネジを用いない構成としては、フレームにフック状の突起を設け、各回路基板をこのフック状の突起に嵌めこむという構成が提案されている（特許文献１参照）。このような構成によれば、フック状の突起の弾性変形などを利用して、各回路基板を容易に組みつけることができる。また、分解時においては、フック状の突起を弾性変形させることにより、回路基板９１２を表示パネル保持部材９２から分離できる。したがって、ネジを用いる構成に比較して、組み立て作業や分解作業に要する手間を削減できる。
【０００８】
しかしながら、前記特許文献に記載の構成は、次のような問題を有する。このような構成であると、表示装置の分解時などの回路基板をフレームから分離する際に、回路基板に力を加えて引き抜く必要がある。また、回路基板をフレームから分離する際に、回路基板をフレームの側壁から遠ざける向きに移動させる必要がある。この際に、ソースドライバまたはゲートドライバが実装されるＴＣＰ、これらＴＣＰと各回路基板との接続部、ＴＣＰと表示パネルとの接続部に無理な力がかかるおそれがある。そしてその結果、ＴＣＰを破損したり、ＴＣＰと各回路基板との接続部、ＴＣＰと表示パネルとの接続部を破損したりするおそれがある。
【０００９】
【特許文献１】特開２００２−２０２５０４号公報
【発明の開示】
【発明が解決しようとする課題】
【００１０】
上記実情に鑑み、本発明が解決しようとする課題は、表示パネルに装着される回路基板などに無理な力をかけることなく分解できる表示パネル保持部材、表示装置を提供すること、または、回路基板などをフレームから簡単に分離できる表示パネル保持部材、表示装置を提供することである。
【課題を解決するための手段】
【００１１】
前記課題を解決するため本発明は、表示パネルに直接または間接に接続される回路基板の面方向に交差する方向に弾性変形が可能で、この回路基板を保持可能な保持片を備えることを要旨とするものである。なお、間接に接続されるとは、表示パネルとこの回路基板との間に、別の回路基板または配線もしくは回路が設けられたフィルムもしくはシートなどを介して接続される構成をいう。
【００１２】
ここで、前記保持片は、弾性変形可能な弾性アームと、この弾性アームに設けられ回路基板に係合可能な係合爪とを備え、この弾性アームが前記回路基板の面方向に交差する方向に弾性変形すると、前記係合爪が前記回路基板から離脱して係合が解除されるように構成されることが好ましい。
【００１３】
そして、前記弾性アームには、付勢によって前記弾性アームを弾性変形させることができる操作突起が設けられる構成であることが好ましい。
【００１４】
また、この表示パネル保持部材は、保持される表示パネルの面方向に対して交差する方向に起立する壁面を備え、前記保持部材はこの壁面に設けられること構成であることが好ましい。
【発明の効果】
【００１５】
本発明によれば、回路基板を表示パネル保持部材から分離する際に、回路基板に引っ張り力が加わることを防止できる。したがってこの回路基板もしくはこの回路基板に直接間接に接続される他の回路基板もしくは表示パネル、またはそれらの接続部の破損を防止することができる。
【００１６】
また、本発明によれば、簡単な操作で回路基板を表示パネル保持部材に装着および／または表示パネル保持部材から分離できる。したがって、回路基板の表示パネル保持部材への装着および／または分離作業に要する手間を削減することができる。
【発明を実施するための最良の形態】
【００１７】
以下に、本発明の各種実施形態について、図面を参照して詳細に説明する。
【００１８】
図１は、本発明の第一実施形態にかかる表示パネル保持部材の構成と、この表示パネル保持部材により保持される表示パネル組立体の構成を、模式的に示した外観斜視図である。なお、説明の便宜上、図１中の上方を表示パネル保持部材の前面側と称し、下方を背面側と称する。
【００１９】
まず、本発明の第一実施形態にかかる表示パネル保持部材１ａにより保持される表示パネル組立体２について簡単に説明する。この表示パネル組立体２は、表示パネル２１と、ＴＣＰ２２，２５と、回路基板２４，２７とを備える。
【００２０】
表示パネル２１には、従来公知の各種表示パネルが適用できる。たとえば一般的な各種の液晶パネルなどが適用できる。本実施形態においては、表示パネルとしてアクティブマトリックスタイプの液晶パネルが適用される構成を用いて説明する。
【００２１】
表示パネル２１の外縁には、複数のＴＣＰ（Tape Carrier Package）２２，２５が装着される。表示パネル２１の長辺に装着されるＴＣＰ２２には、表示パネル２１のデータ信号線（「ソース信号線」などとも称される）に画像信号を伝送するドライバＩＣ２３が実装される。そしてこれらのＴＣＰ２２は、一枚または複数枚の回路基板２４に接続される。以下、これらのドライバＩＣ２３を「ソースドライバ」と称し、ソースドライバ２３が実装されるＴＣＰ２２をソースドライバＴＣＰと称する。そしてソースドライバＴＣＰ２２に接続される回路基板２４を「ソースドライバ回路基板」と称する。各ソースドライバＴＣＰ２２と表示パネル２１の外縁との接続、および各ソースドライバＴＣＰ２２とソースドライバ回路基板２４との接続には、たとえば異方性導電膜（Anisotropic Conductive Film）が用いられる。
【００２２】
表示パネル２１の短辺に装着されるＴＣＰ２５には、表示パネル２１の走査信号線（「ゲート信号線」などとも称される）に画像信号を伝送するドライバＩＣ２６が実装される。そしてこれらのＴＣＰ２５は、一枚または複数枚の回路基板２７に接続される。以下、これらのドライバＩＣ２６を「ゲートドライバ」と称し、ゲートドライバ２６が実装されるＴＣＰ２５をゲートドライバＴＣＰと称する。そしてゲートドライバＴＣＰ２５に接続される回路基板２７を「ゲートドライバ回路基板」と称する。各ゲートドライバＴＣＰ２５と表示パネル２１の外縁との接続、および各ゲートドライバＴＣＰ２５とゲートドライバ回路基板２７との接続には、たとえば異方性導電膜が用いられる。
【００２３】
なお、各辺に装着されるソースドライバＴＣＰ２２およびゲートドライバＴＣＰ２５の枚数は限定されるものではない。また図１においては、表示パネル組立体２が一枚ずつのソースドライバ回路基板２４とゲートドライバ回路基板２７を備える構成を示すが、これらソースドライバ回路基板２４とゲートドライバ回路基板２７の枚数も限定されるものではない。たとえば、複数枚のソースドライバ回路基板２４どうしを直列的に並べて配設する構成、および／または複数枚のゲートドライバ回路基板２７どうしを直列的に並べて配設する構成であってもよい。
【００２４】
この表示パネル組立体２の動作の概略は次のとおりである。ソースドライバ回路基板２４は外部からコントロール信号などの伝送を受け、各ソースドライバＴＣＰ２２に分配する。また、伝送されたコントロール信号などをさらにゲートドライバ回路基板２７に伝送する。そしてゲートドライバ回路基板２７は伝送されたコントロール信号などを各ゲートドライバＴＣＰ２５に分配する。各ソースドライバ２３および各ゲートドライバ２６は、分配されたコントロール信号などに基づいて表示パネル２１を駆動する。
【００２５】
次に本発明の第一実施形態にかかる表示パネル保持部材１ａについて説明する。本表示パネル保持部材１ａは、開口した略四辺形の額縁状の部材である。各辺の前面側は、その内周側が背面側に向かって凹んでおり、段差面１１が形成される。そしてこの段差面１１に表示パネル２１を嵌めこむことができる。各辺の外周側には、背面側に向かって突起する側壁１２が設けられる。したがって本表示パネル保持部材１ａの各辺は、略Ｌ字状の断面形状を有する。
【００２６】
本表示パネル保持部材１ａは、たとえば樹脂材料により一体的に、またはほぼ一体的に形成される構成や、各辺を別体に形成して組み合わせる構成などが適用できる。また、本表示パネル保持部材１ａの材質は限定されるものではなく、たとえば金属材料により形成される構成であってもよい。
【００２７】
この表示パネル保持部材１ａの各辺の側壁１２のうち、表示パネル組立体２のソースドライバ回路基板２４が位置する側壁（ここでは、長辺の側壁）には、第一の保持片１３ａと第二の保持片１４ａが設けられる。また、ゲートドライバ回路基板２７が位置する側壁には、第三の保持片１５ａと第四の保持片１６ａが設けられる。
【００２８】
次に、これら第一〜第四の保持片１３ａ，１４ａ，１５ａ，１６ａについて説明する。図２（ａ）は、第一の保持片１３ａと第二の保持片１４ａの構成を模式的に示した外観斜視図である。図２（ｂ）は第一の保持片１３ａの構成を模式的に示した部分断面図であり、第一の保持片１３ａの構成を分かり易く示すために、第一の保持片１３ａの周囲にある側壁１２の一部を切除して示した斜視図である。
【００２９】
第一の保持片１３ａの構成は次のとおりである。第一の保持片１３ａは、弾性アーム１３１と、係合爪１３２と、操作突起１３３とを備える。
【００３０】
第一の保持片１３ａの弾性アーム１３１は、表示パネル保持部材１ａの長辺の側壁１２から延設される舌片状の部位である。この弾性アーム１３１は、表示パネル保持部材１ａの長辺の側壁１２と同一面内またはほぼ同一面内を、背面側から前面側に向かって延伸する。具体的には、図２（ａ）または（ｂ）に示すように、表示パネル保持部材１ａの長辺の側壁１２に開口部を形成し、この開口部内に、背面側から前面側に向かって延伸する舌片を設け、この舌片を第一の保持片１３ａの弾性アーム１３１とする。別の表現をすると、表示パネル保持部材１ａの長辺の側壁１２に略Ｕ字形状のスリットを設け、このスリットに囲まれる領域を第一の保持片１３ａの弾性アーム１３１とする。
【００３１】
図２（ａ）または（ｂ）に示すように、第一の保持片１３ａの弾性アーム１３１は、基端部が本表示パネル保持部材１ａの長辺の側壁１２に結合しており、先端側は固定されていない。したがって第一の保持片１３ａの弾性アーム１３１は、基端部を中心に先端側が揺動するように弾性変形できる。すなわち第一の保持片１３ａの先端側は、本表示パネル保持部材１ａの長辺の側壁１２の面方向に対して略直角方向に弾性変形できる。
【００３２】
第一の保持片１３ａの弾性アーム１３１の基端部近傍には、操作突起１３３が設けられる。この操作突起１３３は、弾性アーム１３１を弾性変形させるために力を加えることができる部位であり、本表示パネル保持部材１ａの長辺の側壁１２の外周面側に向かって突起する。また、第一の保持片１３ａの弾性アーム１３１の先端には、係合爪１３２が設けられる。この係合爪１３２は、ソースドライバ回路基板２４の外縁に係合する部位であり、本表示パネル保持部材１ａの長辺の側壁１２の外周面側に向かって突起する。
【００３３】
図１（ａ）に示すように第二の保持片１４ａは、表示パネル保持部材１ａの長辺の側壁１２からその外周面側に突起する部位であり、ソースドライバ回路基板２４の外縁に係合できる。この第二の保持片１４ａは、先端部が前面側に向かって延伸しており、この先端部と側壁１２の外周面との間にソースドライバ回路基板２４の外縁を係合することができる。この第二の保持片１４ａも弾性変形可能に形成されることが好ましい。
【００３４】
図３は、第一の保持片１３ａが弾性変形した状態を模式的に示した図であり、図３（ａ）は斜視図、図３（ｂ）は断面図である。なお、図３（ａ）は、弾性変形後の状態を分かり易く示すため、第一の保持片１３ａの弾性アーム１３１の周囲にある本表示パネル保持部材１ａの側壁１２を切除して示す。
【００３５】
図３（ａ）または（ｂ）に示すように、操作突起１３３に前面側に向かって力を加えると（矢印ａは、操作突起に加える力を模式的に示す）、弾性アーム１３１の基端部に曲げモーメントがかかり、弾性アーム１３１は本表示パネル保持部材１ａの長辺の側壁１２の内周面側（図においては矢印ｂの向き）に向かって弾性変形する。そして弾性アーム１３１の変形によって、第一の保持片１３ａの係合爪１３２が本表示パネル保持部材１ａの長辺の側壁１２の内周面側に引っ込む。操作突起１３３に加えた力を除去すると、元の状態に戻る。
【００３６】
このような第一の保持片１３ａと第二の保持片１４ａとを備える本表示パネル保持部材１ａに、表示パネル組立体２を装着する手順は次のとおりである。
【００３７】
図４（ａ）は表示パネル組立体２を本表示パネル保持部材１ａに装着する途中の状態における第二の保持片１４ａとソースドライバ回路基板２４との位置関係を示した図である。図４（ｂ）は図４（ａ）と同じ状態における第一の保持片１３ａとソースドライバ回路基板２４との位置関係を示した図である。図４（ｃ）は表示パネル組立体２を本表示パネル保持部材１ａに装着した後の状態における第二の保持片１４ａとソースドライバ回路基板２４との関係を示した図である。図４（ｄ）は、図４（ｃ）と同じ状態における第一の保持片１３ａとソースドライバ回路基板２４との位置関係を示した図である。
【００３８】
図４（ａ）または（ｂ）に示すように、表示パネル２１を本表示パネル保持部材１ａの前面側に配設する。そして図４（ａ）に示すように、ソースドライバ回路基板２４の外縁のうち表示パネル２１から遠い側を、第二の保持片１４ａの先端部と、本表示パネル保持部材１ａの長辺の側壁１２の間に差し込む。図中の矢印ｃは、ソースドライバ回路基板２４を差し込む向きを示す。この際、斜め前面側から差し込むことによって、図４（ｂ）に示すように、第一の保持片１３ａの係合爪１３２とソースドライバ回路基板２４との干渉を避けることができる。そしてソースドライバ回路基板２４の外縁を第二の保持片１４ａに係合させる。
【００３９】
次いで、図４（ｃ）または（ｄ）に示すように、ソースドライバ回路基板２４を、第二の保持片１４ａにより係合される部分を略中心として、本表示パネル保持部材１ａの長辺の側壁１２に向けて倒すように近接または接触させる。図中の矢印ｄは、ソースドライバ回路基板２４を倒す向きを模式的に示す。これにより、図４（ｄ）に示すように、ソースドライバ回路基板２４の表示パネル２１に近い側の外縁が、第一の保持片１３ａの係合爪１３２と係合する。
【００４０】
このような構成によれば、ソースドライバ回路基板２４は、第一の保持片１３ａの係合爪１３２と第二の保持片１４ａとによって、前面側または背面側への移動が規制される。また、第二の保持片１４ａによって、本表示パネル保持部材１ａの長辺の側壁１２から離れる向きへの移動が規制される。したがって、ソースドライバ回路基板２４が本表示パネル保持部材１ａの長辺の側壁１２の外周面に保持される。
【００４１】
ソースドライバ回路基板２４を本表示パネル保持部材１ａから分離する手順は次のとおりである。
【００４２】
図５は、ソースドライバ回路基板２４を本表示パネル保持部材１ａから分離する手順を模式的に示した断面図である。詳しくは、図５（ａ）は、ソースドライバ回路基板２４と第一の保持片１３ａの係合爪１３２との係合を解除した状態を示し、図５（ｂ）は、ソースドライバ回路基板２４を前面側に向かって移動させた状態を示し、図５（ｃ）は、ソースドライバ回路基板２４と第二の保持片１４ａとの係合を解除した状態を示す。
【００４３】
図５（ａ）に示すように、第一の保持片１３ａの操作突起１３３に、前面側に向かって力を加える。図中の矢印ｅは、第一の保持片１３ａの操作突起１３３に加える力を模式的に示す。第一の保持片１３ａの操作突起１３３に前面側に向かって力を加えると、弾性アーム１３１の基端部に曲げモーメントがかかり、弾性アーム１３１が基端部を略中心に本表示パネル保持部材１ａの長辺の側壁１２の内周面側に入り込むように変形する。そして弾性アーム１３１の先端に設けられる係合爪１３２も、ソースドライバ回路基板２４の端縁から離れて本表示パネル保持部材１ａの長辺の側壁１２の内周面側に引っ込むように移動する。図中の矢印ｆは、係合爪１３２の移動の向きを示す。このため、ソースドライバ回路基板２４と第一の保持片１３ａの係合爪１３２との係合が解除される。
【００４４】
そしてこの状態で、図５（ｂ）に示すように、ソースドライバ回路基板２４を本表示パネル保持部材１ａの長辺の側壁１２の外周面に沿って、スライドさせるように前面側（すなわち矢印ｇの向き）に移動させる。ソースドライバ回路基板２４が前面側に移動すると、図５（ｃ）に示すように、ソースドライバ回路基板２４の外縁が、第二の保持片１４ａと本表示パネル保持部材１ａの長辺の側壁１２との間から抜け出て、第二の保持片１４ａとの係合が解除される。この結果、ソースドライバ回路基板２４は、本表示パネル保持部材１ａから分離する。
【００４５】
このような構成によれば、ソースドライバ回路基板２４を本表示パネル保持部材１ａから分離する操作において、ソースドライバ回路基板２４に、本表示パネル保持部材１ａの長辺の側壁１２から遠ざける向きに力をかける必要や移動させる必要がない。このため、ソースドライバＴＣＰ２２、ソースドライバＴＣＰ２２とソースドライバ回路基板２４との接続部、ソースドライバＴＣＰ２２と表示パネル２１との接続部のいずれにも、無理な力、特に引っ張り力がかかることがない。したがって、分離作業において、ソースドライバＴＣＰ２２、ソースドライバＴＣＰ２２とソースドライバ回路基板２４との接続部、ソースドライバＴＣＰ２２と表示パネル２１の接続部を破損するおそれがなくなる。
【００４６】
なお、前記説明においては、長辺の側壁１２に一個の第一の保持片１３ａが設けられる構成を示したが、第一の保持片１３ａの数は限定されるものではない。たとえば二個以上の第一の保持片１３ａが設けられる構成であってもよい。また、第一の保持片１３ａまたは第二の保持片１４ａが設けられる位置も特に限定されるものではない。
【００４７】
複数の第一の保持片１３ａが設けられる表示パネル保持部材１ａからソースドライバ回路基板２４をスムーズに分離する方法としては、次のような方法が適用できる。ここでは、本表示パネル保持部材１ａが三個の第一の保持片１３ａを備える構成を例に用いて説明する。
【００４８】
図６は、三個の第一の保持片１３ａが設けられる表示パネル保持部材１ａから、ソースドライバ回路基板２４を分離する手順を模式的に示した平面図である。それぞれ図６（ａ），（ｂ）は、ソースドライバ回路基板２４を本表示パネル保持部材１ａから分離する途中の状態を示し、図６（ｃ）は分離した状態を示す。
【００４９】
図６（ａ）に示すように、複数の第一の保持片１３ａのうち、一番端に位置するもの（図６においては右端に位置するもの）の操作突起１３３に前面側に向かって力を加え、当該第一の保持片１３ａの係合爪１３２とソースドライバ回路基板２４との係合を解除する。図中の矢印ｍは当該第一の保持片１３ａの操作突起１３３に加える力を模式的に示す。この状態で、ソースドライバ回路基板２４と、第一の保持片１３ａの係合爪１３２および第二の保持片１４ａとのクリアランスなどを利用して、ソースドライバ回路基板２４（特に、当該第一の保持片１３ａの係合爪１３２との係合を解除した側の部位。図においては右端）を前面側に向かってずらす。そしてソースドライバ回路基板２４の内側の面（本表示パネル保持部材１ａの長辺の側壁１２に対向する面をいうものとする。以下同じ。）に、係合を解除した当該第一の保持片１３ａの係合爪１３２の先端の少なくとも一部が接触する位置に移動させる。
【００５０】
すなわち図６（ａ）に示すように、ソースドライバ回路基板２４を斜めにずらして、係合を解除した第一の保持片１３ａ（ここでは右端に位置するもの）の係合爪１３２の先端の少なくとも一部に、ソースドライバ回路基板２４の内側の面が接触する状態に維持する。このような状態とすると、当該第一の保持片１３ａの弾性アーム１３１が元の形状に戻ることができない。したがって、当該第一の保持片１３ａの係合爪１３２とソースドライバ回路基板２４との係合が解除された状態に維持される。
【００５１】
次に、係合を解除した第一の保持片１３ａに隣接する他の第一の保持片１３ａ（図６においては中央に位置するもの）の操作突起１３３に前面側に向かって力を加え、当該他の第一の保持片１３ａの係合爪１３２とソースドライバ回路基板２４との係合を解除する。この状態において、ソースドライバ回路基板２４と第一の保持片１３ａおよび第二の保持片１４ａとのクリアランスなどを利用して、ソースドライバ回路基板２４（特に、当該他の第一の保持片１３ａの係合爪１３２との係合を解除した側の部位）を前面側に向かってずらす。そして、係合を解除した当該他の第一の保持片１３ａの係合爪１３２の先端の少なくとも一部が、ソースドライバ回路基板２４の内側の面に接触する位置に移動させる。
【００５２】
すなわち、図６（ｂ）に示すように、ソースドライバ回路基板２４を図６（ａ）に示す状態からさらに斜めにずらす。そして係合を解除した当該他の第一の保持片１３ａの係合爪１３２の先端の少なくとも一部が、ソースドライバ回路基板２４の内側の面に接触した状態に維持する。このような状態にあると、当該他の第一の保持片１３ａの弾性アーム１３１は元の形状に戻ることができず、当該他の第一の保持片１３ａの係合爪１３２とソースドライバ回路基板２４との係合が解除された状態に維持される。
【００５３】
なお、この操作によってソースドライバ回路基板２４がさらに前面側に移動するから、先に係合を解除した第一の保持片１３ａ（右端に位置するもの）の係合爪１３２が、再びソースドライバ回路基板２４に係合することはない。
【００５４】
そして、図６（ｃ）に示すように、前記他の第一の保持片１３ａ（図６においては中央に位置する第一の保持片１３ａ）に隣接する第一の保持片１３ａ（図６においては左端に位置する第一の保持片１３ａ）の操作突起１３３に前面側に向かって力を加え、この第一の保持片１３ａの係合爪１３２とソースドライバ回路基板２４との係合を解除する。これにより、すべての第一の保持片１３ａの係合爪１３２とソースドライバ回路基板２４との係合が解除される。この状態でソースドライバ回路基板２４を前面側に向かってスライドさせるように移動させると、第二の保持片１４ａとソースドライバ回路基板２４との係合が解除される。これにより、ソースドライバ回路基板２４が本表示パネル保持部材１ａから分離する。
【００５５】
本表示パネル保持部材１ａが四個以上の第一の保持片１３ａを備える場合には、一番端に位置する第一の保持片１３ａから順に、ソースドライバ回路基板２４との係合の解除する操作と、ソースドライバ回路基板２４を前面側に向かってずらす操作を繰り返せばよい。
【００５６】
また、本表示パネル保持部材１ａが二個の第一の保持片１３ａを備える場合の手順は次のとおりである。まず一方の第一の保持片１３ａとソースドライバ回路基板２４との係合を解除し、ソースドライバ回路基板２４を前面側に向かってずらす。次いで他方の第一の保持片１３ａとソースドライバ回路基板２４との係合を解除する。そしてこの状態でソースドライバ回路基板２４を前面側に向かってスライドさせるように移動させればよい。
【００５７】
このように、第一の保持片１３ａの数にかかわらず、ソースドライバ回路基板２４を本表示パネル保持部材１ａからスムーズに分離することができる。そして分離する際に、ソースドライバＴＣＰ２２、ソースドライバＴＣＰ２２とソースドライバ回路基板２４との接続部、ソースドライバＴＣＰ２２と表示パネル２１との接続部のいずれにも、無理な力が加わることがない。したがって、ソースドライバＴＣＰ２２、ソースドライバＴＣＰ２２とソースドライバ回路基板２４との接続部、ソースドライバＴＣＰ２２の破損を防止できる。
【００５８】
図１に戻って説明すると、本表示パネル保持部材１ａの短辺には、第三の保持片１５ａと第四の保持片１６ａとが設けられる。そして第三の保持片１５ａと第四の保持片１６ａとにより、ゲートドライバ回路基板２７を本表示パネル保持部材１ａの短辺の側壁１２に保持する。第三の保持片１５ａは、長辺の側壁１２に設けられる第一の保持片１３ａとほぼ同じ構成を備える。第四の保持片１６ａは長辺の側壁１２に設けられる第二の保持片１４ａとほぼ同じ構成を備える。したがって、第三の保持片１５ａと第四の保持片１６ａの構成の説明は省略する。
【００５９】
また、第三の保持片１５ａと第四の保持片１６ａとによりゲートドライバ回路基板２７を保持する手順、保持構造、分離手順は、前記第一の保持片１３ａと第二の保持片１４ａとによりソースドライバ回路基板２４を保持する手順、保持構造、分離手順とほぼ同じである。したがってこれらの説明も省略する。
【００６０】
要は、前記第一の保持片１３ａと第二の保持片１４ａの説明において、「第一の保持片１３ａ」を「第三の保持片１５ａ」に、「第二の保持片１４ａ」を「第四の保持片１６ａ」に、「（フレームの）長辺」を「（フレームの）短辺」に、「ソースドライバ回路基板２４」を「ゲートドライバ回路基板２７」に、「ソースドライバＴＣＰ２２」を「ゲートドライバＴＣＰ２５」に、それぞれ読み替えればよい。
【００６１】
また、前記第一の保持片１３ａの弾性アーム１３１は、本表示パネル保持部材１ａの長辺の側壁１２に収まっている構成を有するが、このような構成に限定されるものではない。そこで、第一の保持片の変形例について説明する。図７は、第一の保持片の各種変形例を示す外観斜視図である。なお、前記第一の保持片と同様の構成を有する部分については同じ符号を付して示し、説明は省略する。
【００６２】
図７（ａ）に示す変形例にかかる第一の保持片１３ｂは、その弾性アーム１３１の先端が本表示パネル保持部材１ａの前面側にも露出している構成を有する。すなわち、本表示パネル保持部材１ａの長辺の側壁１２から前面側にかけて開口部が設けられ、この開口部内に背面側から前面側に向かって第一の保持片１３ｂの弾性アーム１３１が延伸する。そして第一の保持片１３ｂの弾性アーム１３１の先端が、本表示パネル保持部材１ａの前面側に露出する。
【００６３】
図７（ｂ）に示す変形例にかかる第一の保持片１３ｃは、その弾性アーム１３１の先端が本表示パネル保持部材１ａの前面側に突出する構成を有する。すなわち、本表示パネル保持部材１ａの長辺の側壁１２から前面側にかけて開口部が形成され、この開口部内に背面側から前面側に向かって第一の保持片１３ｃの弾性アーム１３１が延伸する。そして第一の保持片１３ｃの弾性アーム１３１の先端が、本表示パネル保持部材１ａの前面側から突出する。
【００６４】
図７（ｃ）に示す変形例にかかる第一の保持片１３ｄは、その弾性アーム１３１の基端部が背面側に突出する構成を有する。すなわち、本表示パネル保持部材１ａの長辺の側壁１２の一部が、他の部分よりも背面側に向かって張り出しており、この張り出した部分に第一の保持片１３ｄの弾性アーム１３１の基端部が設けられる。
【００６５】
このように、第一の保持片１３ａ，１３ｂ，１３ｃ，１３ｄは、本表示パネル保持部材１ａの長辺の側壁１２の面内に完全に収まっている構成である必要はなく、少なくとも一部が側壁１２から突出する構成であってもよい。なお、図７（ｃ）に示す変形例と、図７（ａ）または図７（ｂ）に示す変形例とを組み合わせた構成であってもよい。また、第三の保持片１５ａについても、同様の変形例が適用できる。
【００６６】
次に、本発明の第二実施形態について説明する。なお、第二実施形態にかかる表示パネル保持部材１ｂと第一実施形態にかかる表示パネル保持部材１ａとは、ソースドライバ回路基板２４とゲートドライバ回路基板２７のそれぞれを保持する保持片の構成が主に相違し、他の部分はほぼ同じ構成を備える。したがって、相違する構成の部分について主に説明し、同様の構成の部分は説明を省略する。また、表示パネル組立体２は、第一実施形態において示したものと同じものが適用できるから、説明は省略する。
【００６７】
図８は、第二実施形態にかかる表示パネル保持部材１ｂ（以下、本表示パネル保持部材１ｂと称することがある）の構成を模式的に示した外観斜視図である。それぞれ図８（ａ）は全体構造を示す図であり、図８（ｂ）は長辺の側壁に設けられる第五の保持片１３ｅの構成を拡大して示す図であり、図８（ｃ）は長辺の側壁に設けられる第六の保持片１４ｂの構成を拡大して示す図である。
【００６８】
図８（ａ）に示すように、本表示パネル保持部材１ｂの長辺の側壁１２には、第五の保持片１３ｅと第六の保持片１４ｂとが設けられる。また、本表示パネル保持部材１ｂの短辺の側壁１２には、第七の保持片１５ｅと第八の保持片１６ｂとが設けられる。
【００６９】
第五の保持片１３ｅの構成は次のとおりである。図８（ｂ）に示すように、第五の保持片１３ｅは、弾性アーム１３１と、係合爪１３２と、操作突起１３３とを備える。第五の保持片１３ｅの弾性アーム１３１は、本表示パネル保持部材１ｂの長辺の側壁１２上を、背面側から前面側に向かって延伸する舌片状の部位である。
【００７０】
具体的には、弾性アーム１３１の基端部１３５が本表示パネル保持部材１ｂの長辺の側壁１２からその外周面側に向かって突起しており、弾性アーム１３１が本表示パネル保持部材１ｂの長辺の側壁１２から所定の距離だけ離れた位置に略平行に延設する。この弾性アーム１３１は、基端部１３５を中心に、先端側が少なくとも本表示パネル保持部材１ｂの長辺の側壁１２に近接するように変形できる。
【００７１】
弾性アーム１３１の先端には、係合爪１３２が設けられる。この係合爪１３２は、ソースドライバ回路基板２４の外縁に係合する部分であり、弾性アーム１３１の先端近傍において、本表示パネル保持部材１ｂの長辺の側壁１２に対向する面とは反対側の面から突起する。また、弾性アーム１３１の基端部１３５には、操作突起１３３が設けられる。この操作突起１３３は、弾性アーム１３１を変形させるために力を加えることができる部分であり、表示パネル保持部材１ｂの長辺の側壁１２に対向する面とは反対側の面から突起する。
【００７２】
第六の保持片１４ｂは、図８（ｃ）に示すように、本表示パネル保持部材１ｂの長辺の側壁１２からその外周面側に突起する部位であり、ソースドライバ回路基板２４の外縁に係合できる。この第六の保持片１４ｂは、先端部が前面側に向かって延伸しており、この先端部と長辺の側壁１２の外周面との間に、ソースドライバ回路基板２４を挿入することができる。この第六の保持片１４ｂも、弾性変形可能に形成されることが好ましい。
【００７３】
図９は、第五の保持片１３ｅの変形状態を模式的に示した図であり、図９（ａ）は弾性変形した状態の外観斜視図、図９（ｂ）は弾性変形した状態の断面図である。また、変形前の状態を一点鎖線で示す。図中の矢印ｈは、操作突起１３３に加える力を模式的に示す。
【００７４】
図９（ａ）または（ｂ）に示すように、操作突起１３３に前面側に向かう力を加えると、弾性アーム１３１の基端部１３５に曲げモーメントがかかって変形し、弾性アーム１３１の先端が本表示パネル保持部材１ｂの長辺の側壁１２に近接する。そしてこの変形によって、係合爪１３２の先端が本表示パネル保持部材１ｂの長辺の側壁１２に近接する向きに移動する。また、操作突起１３３に加えた力を除去すると、元の状態（図９においては、一点鎖線で示した状態）に戻る。
【００７５】
第二実施形態にかかる表示パネル保持部材１ｂに表示パネル組立体２を装着する手順は次のとおりである。図１０（ａ）は、表示パネル組立体２を本表示パネル保持部材１ｂに装着する途中の状態における、第六の保持片１４ｂとソースドライバ回路基板２４との位置関係を示した図である。図１０（ｂ）は、図１０（ａ）と同じ状態における第五の保持片１３ｅとソースドライバ回路基板２４との位置関係を示した図である。図１０（ｃ）は、表示パネル組立体２を本表示パネル保持部材１ｂに装着した状態における、第五の保持片１３ｅとソースドライバ回路基板２４との位置関係を示した図である。図１０（ｄ）は、図１０（ｃ）と同じ状態における第五の保持片１３ｅとソースドライバ回路基板２４との位置関係を示した図である。
【００７６】
図１０（ａ）または（ｂ）に示すように、表示パネル２１を本表示パネル保持部材１ｂの前面側に配設する。そして図１０（ａ）に示すように、ソースドライバ回路基板２４の外縁のうち表示パネル２１から遠い側を、第五の保持片１３ｅに係合させる。この際、斜め前面側から差し込むことによって、図１０（ｂ）に示すように、第五の保持片１３ｅの係合爪１３２とソースドライバ回路基板２４との干渉を避けることができる。
【００７７】
次いで、図１０（ｃ）または（ｄ）に示すように、第六の保持片１４ｂと係合する部分を略中心として、ソースドライバ回路基板２４の表示パネル２１に近い側を、第五の保持片１３ｅの弾性アーム１３１に向けて倒すように近接または接触させる。これにより、図１０（ｄ）に示すように、ソースドライバ回路基板２４の表示パネル２１に近い側の外縁が、第五の保持片１３ｅの係合爪１３２と係合する。
【００７８】
ソースドライバ回路基板２４を本表示パネル保持部材１ｂから分離する手順は次のとおりである。
【００７９】
図１１は、ソースドライバ回路基板２４を本表示パネル保持部材１ｂから分離する手順を模式的に示した断面図である。詳しくは、図１１（ａ）は、ソースドライバ回路基板２４と第五の保持片１３ｅの係合爪１３２との係合を解除した状態を示し、図１１（ｂ）は、ソースドライバ回路基板２４を前面側に向かって移動させた状態を示し、図１１（ｃ）はソースドライバ回路基板２４と第六の保持片１４ｂとの係合を解除した状態を示す。
【００８０】
図１１（ａ）に示すように、第五の保持片１３ｅの操作突起１３３に、前面側に向かって力を加える。図中の矢印ｋは、第五の保持片１３ｅの操作突起１３３に加える力を模式的に示す。第五の保持片１３ｅの操作突起１３３に前面側に向かう力を加えると、弾性アーム１３１の基端部１３５に曲げモーメントがかかって変形し、弾性アーム１３１の先端側が基端部１３５を中心に本表示パネル保持部材１ｂの長辺の側壁１２に近接または接触する。そして弾性アーム１３１の先端に設けられる係合爪１３２も、ソースドライバ回路基板２４の端縁から離れ、本表示パネル保持部材１ｂの長辺の側壁１２に近接する向きに移動する。このため、ソースドライバ回路基板２４と第五の保持片１３ｅの係合爪１３２との係合が解除される。
【００８１】
そしてこの状態で、図１１（ｂ）に示すように、ソースドライバ回路基板２４を本表示パネル保持部材１ｂの長辺の側壁１２の外周面方向に沿って、スライドさせるように前面側に移動させる。矢印ｌは、ソースドライバ回路基板２４を移動させる向きを示す。ソースドライバ回路基板２４が前面側に移動すると、図１１（ｃ）に示すように、ソースドライバ回路基板２４の外縁が、第六の保持片１４ｂと第五の保持片１３ｅの弾性アーム１３１の外側の面との間から抜け出て、第五の保持片１３ｅとの係合が解除する。この結果、ソースドライバ回路基板２４は、本表示パネル保持部材１ｂから分離する。
【００８２】
このような構成によっても、前記第一実施形態にかかる構成と同様の作用効果を奏することができる。
【００８３】
なお、第二実施形態においては、長辺の側壁１２に一個の第五の保持片１３ｅが設けられる構成を示したが、第五の保持片１３ｅの数は限定されるものではない。たとえば第五の保持片１３ｅが二個以上設けられる構成であってもよい。二個以上の第五の保持片１３ｅを備える構成において、ソースドライバ回路基板２４を表示パネル保持部材１ｂからの分離する方法は、前記第一実施形態にかかる表示パネル保持部材１ａと同様である。また、第五の保持片１３ｅと第六の保持片１４ｂとが設けられる位置も限定されるものではない。
【００８４】
すなわち、二個の第五の保持片１３ｅを備える構成においては、まず、一方の第五の保持片１３ｅとソースドライバ回路基板２４との係合を解除し、ソースドライバ回路基板２４を前面側にずらす。次いで他方の第五の保持片１３ｅとソースドライバ回路基板２４との係合を解除する。そしてソースドライバ回路基板２４を全体的に前面側に移動させることによって、第六の保持片１４ｂとソースドライバ回路基板２４との係合を解除する。
【００８５】
三個以上の第五の保持片１３ｅを備える構成においては、最も端に位置する第五の保持片１３ｅから順に、第五の保持片１３ｅとソースドライバ回路基板２４との係合を解除する操作と、ソースドライバ回路基板２４を前面側にずらす操作を繰り返す。このような手順より、ソースドライバ回路基板２４を表示パネル保持部材１ｂから分離できる。
【００８６】
図８に戻って説明すると、表示パネル保持部材１ｂの短辺の側壁１２に設けられる第七の保持片１５ｅは、長辺の側壁１２に設けられる第五の保持片１３ｅとほぼ同じ構成を備える。また、短辺の側壁１２に設けられる第八の保持片１６ｂは、長辺の側壁１２に設けられる第六の保持片１４ｂとほぼ同じ構成を備える。
【００８７】
また、ゲートドライバ回路基板２７の装着方法と分離方法も、ソースドライバ回路基板２４とほぼ同じである。したがって説明は省略する。前記ソースドライバ回路基板２４の装着および分離の説明において、「第五の保持片１３ｅ」を「第七の保持片１５ｅ」に、「第六の保持片１４ｂ」を「第八の保持片１６ｂ」に、「（フレームの側壁１２の）長辺」を「（フレームの側壁１２の）短辺」に、「ソースドライバ回路基板２４」を「ゲートドライバ回路基板２７」に、それぞれ読み替えればよい。
【００８８】
第一〜第六の保持片は、それぞれ表示パネル保持部材１ａ，１ｂに一体に形成する構成であってもよく、別体で形成した部品を結合する構成であってもよい。図１２は、保持片が一体に形成されない表示パネル保持部材１ｃと、この表示パネル保持部材１ｃとは別体に形成される第五の保持片１３ｅと第六の保持片１４ｃの構成を、模式的に示した分解斜視図である。
【００８９】
図１２に示すように、この表示パネル保持部材１ｃの側壁には、第五の保持片１３ｅまたは第六の保持片１４ｂを装着するための嵌合孔１２１が設けられる。また、第五の保持片１３ｅと第六の保持片１４ｂのそれぞれの基端部には、前記嵌合孔１２１に嵌合するための嵌合部１３４，１４１が設けられる。そして第五〜第八の保持片のそれぞれの嵌合部１３４，１４１を表示パネル保持部材１ｃの側壁に設けられる各嵌合孔１２１に嵌合する。これにより、表示パネル保持部材１ｃと各保持片とが一体に結合する。説明は省略するが、第一〜第四の保持片、第七の保持片、第八の保持片も、同様に別体に形成した部品を表示パネル保持部材１ｃに結合する構成が適用できる。
【００９０】
第一〜第八の保持片と表示パネル保持部材１ｃの側壁１２との結合形態は特に限定されるものではない。たとえば、各保持片の嵌合部１３４，１４１をフック状に形成し、各保持片１３ｅ，１４ｂを固定する構成、各嵌合孔１２１の寸法を各保持片の嵌合部１３４，１４１の外形寸法より小さく設定し、嵌合部１３４，１４１を嵌合孔１２１に締まり嵌めする構成、または接着剤などにより接着する構成であってもよい。
【００９１】
このように、表示パネル保持部材の製造時において、各保持片が側壁に一体に形成されるかどうかを問うものではない。また、保持片を表示パネル保持部材に後付けする構成においては、保持片と表示パネル保持部材との結合形態が限定されるものではない。
【００９２】
次に、本発明の実施形態にかかる表示パネル保持部材を適用した表示装置（以下、「本表示装置」と称することがある）について説明する。図３は、本表示装置の要部の構成を模式的に示した分解斜視図である。
【００９３】
本表示装置５は、シャーシ５１と、反射シート５２と、光源５３と、サイドホルダ５４と、光学シート類５５と、前記表示パネル保持部材１ａ，１ｂ，１ｃのいずれか（以下、符号「１」を付して説明する）と、表示パネル組立体２と、ベゼル５６と、コントロール回路基板５７と、コントロール回路基板カバー５７１と、光源駆動回路基板５８と、光源駆動回路基板カバー５８１と、表示パネル組立体２と、ベゼル５６と、コントロール回路基板５７と、コントロール回路基板カバー５７１とを備える。
【００９４】
シャーシ５１（「バックライトシャーシ」または「バックライトアングル」と称することもある）は、略平板状の部材である。シャーシ５１の各長辺の周縁部には、前面側に向かって起立する側壁が設けられる。各側壁の先端（すなわち前面側端部）には、後述する光学シート類を載置できる載置面が設けられる。このシャーシ５１は、樹脂材料などにより一体にもしくはほぼ一体に形成される構成、または金属の板材などからプレス加工などを用いて形成される構成などが適用できる。
【００９５】
反射シート５２は、光を乱反射させる表面性状を有するシート状または板状の部材である。この反射シート５２は、たとえばシート状または板状の発泡ＰＥＴ（ポリエチレンテレフタレート）などにより形成される。
【００９６】
光源５３には、従来公知の各種光源が適用できる。たとえば冷陰極管や熱陰極管などの各種蛍光管、キセノン管などの放電管、ＬＥＤなどの発光素子などが適用できる。図１３に示す表示装置５は、光源５３として線状の蛍光管が適用される構成を有するが、本発明はこの構成に限定されるものではない。
【００９７】
光学シート類５５は、光源５３が発する光の特性を調整する板状の部材もしくはシート状の部材、またはこのような部材を総称するものとする。光学シート類５５には、たとえば光源が発する光を拡散して面内輝度の均一化を図る拡散シートや拡散板、光源が発する光を集光して輝度の向上を図るレンズシート、所定の偏光軸の光のみを通過させることができる偏光反射シートなどがある。
【００９８】
光学シート類５５は、表示装置の種類などに応じて適宜選択して用いる。一般的には複数の光学シート類を重ね合わせて配設する。具体的には、最も背面側に偏光板を配設し、その前面側に偏光シート、レンズシート、偏向シートを重ねて配設する構成などが挙げられる。なお、本発明においては配設する光学シート類の種類および枚数は限定されるものではない。
【００９９】
光源駆動回路基板５８は、光源５３を駆動する電子回路および／または電気回路などが構築される回路基板である。たとえば光源５３として蛍光管を適用する場合には、光源駆動回路基板５８には、高圧のパルス電圧を生成するインバータ回路などが構築される。光源駆動回路基板カバー５８１は、光源駆動回路基板５８を覆う板状または底の浅い容器状の部材であり、たとえば金属の板材などにより形成される。
【０１００】
サイドホルダ５４は、光学シート類５５を支持するスペーサなどの機能を有する部材である。このサイドホルダ５４は略棒状の部材であり、たとえば樹脂材料などにより一体にまたはほぼ一体に形成される構成が適用できる。サイドホルダ５４の前面側には、光学シート類５５を載置できる載置面が設けられる。そして同一またはほぼ同一の構成を有する二個のサイドホルダ５４が、それぞれシャーシ５１の各短辺に相対向して配設される。
【０１０１】
表示パネル組立体２は、表示パネル２１と、この表示パネル２１を駆動するドライバが実装されるソースドライバＴＣＰ２２と、ゲートドライバＴＣＰ２５と、これらのソースドライバＴＣＰ２２とゲートドライバＴＣＰ２５とに各種電気信号などを伝送するソースドライバ回路基板２４とゲートドライバ回路基板２７とを備える。この表示パネル組立体２の構成は、前記のとおりである。
【０１０２】
ベゼル５６は、表示パネル組立体２を支持および／または保護する機能などを有する部材である。図１３に示すようにこのベゼル５６は、開口した略四辺形の形状を有する。コントロール回路基板５７は、外部から入力された画像信号に基づいて、表示パネル２１を駆動するコントロール信号を生成する電子回路および／または電気回路が構築される回路基板である。コントロール回路基板カバー５７１は、このコントロール回路基板５７を覆う板状の部材である。このコントロール回路基板カバー５７１は、たとえば金属の板材により形成される。
【０１０３】
このような部材を備える本表示装置５の組み付けは、次のとおりである。
【０１０４】
シャーシ５１の前面側に反射シート５２を配設し、その前面側に光源５３を配設する。そしてシャーシ５１の各短辺に、各光源５３の端部を覆うようにサイドホルダ５４を配設する。そしてシャーシ５１の側壁の載置面およびサイドホルダ５４の載置面に光学シート類５５を配設し、その前面側に本発明のいずれかの実施形態にかかる表示パネル保持部材１を装着する。
【０１０５】
本発明のいずれかの実施形態にかかる表示パネル保持部材１の前面側に表示パネル組立体２を配設し、表示パネル組立体２のソースドライバ回路基板２４およびゲートドライバ回路基板２７を、それぞれ側壁に設けられる保持片によって保持する。この保持方法は前記のとおりである。さらにその前面側にベゼル５６を装着する。
【０１０６】
シャーシ５１の背面側に光源駆動回路基板５８を配設し、各光源５３から引き出されるハーネスとこの光源駆動回路基板５８とを接続する。そして、この光源駆動回路基板５８を覆うように光源駆動回路基板カバー５８１を配設する。また、シャーシ５１の背面側にコントロール回路基板５７を配設し、コントロール回路基板５７とソースドライバ回路基板２４とを電気信号などを送受信可能に接続する。この接続手段には、ＦＦＣやＦＰＣなどが適用できる。また、コントロール回路基板５７を覆うようにコントロール回路基板カバー５７１を装着する。さらに表示パネル２１の前面側にベゼル５６を装着する。
【０１０７】
次に、本表示装置５を適用したテレビ受信機について簡単に説明する。図１４は本表示装置５を適用したテレビ受信機の要部の構成の一例を模式的に示した分解斜視図である。このテレビ受信機６は、チューナ６３と、本表示装置５と、拡声手段６４と、電源６２と、キャビネット６１１，６１２と、支持部材６５とを備える。
【０１０８】
チューナ６３は、受信した電波や外部から入力された信号に基づいて、所定のチャンネルの画像信号と音声信号とを生成する。このチューナ６３には、従来一般の地上波（アナログ地上波および／またはデジタル地上波）チューナ、ＢＳチューナ、ＣＳチューナなどが適用できる。
【０１０９】
本表示装置５は、チューナ６３が生成した画像信号に基づいて画像を表示する。この表示装置５には、前記本表示装置が適用できる。拡声手段６４は、チューナ６３が生成した音声信号に基づいて音声を発する。この拡声手段６４には、従来一般のスピーカなど、従来公知の各種拡声手段が適用できる。電源６２は、チューナ６３、表示装置５、拡声手段６４などに電力を供給できる。
【０１１０】
そして、チューナ６３、表示装置５、拡声手段６４、電源６２が、キャビネット（図に示すキャビネットは、前面側キャビネット６１１と背面側キャビネット６１２により構成される）に収納され、支持部材６５により支持される。なお、本表示装置５が適用されるテレビ受信機６はこのような構成に限定されるものではなく、たとえばチューナ６３、拡声手段６４、電源６２が表示装置５に組み付けられる構成であってもよい。
【０１１１】
以上、本発明の各種実施形態について詳細に説明したが、本発明は、前記実施形態に何ら限定されるものではなく、本発明の趣旨を逸脱しない範囲で種々の改変が可能である。
【０１１２】
たとえば、表示パネル組立体２の構成は前記構成に限定されるものではない。たとえば、長辺に装着されるＴＣＰにのみ回路基板が接続され、短辺に装着されるＴＣＰには、回路基板が接続されない構成であってもよい。また、長辺の両方および／または短辺の両方に、ＴＣＰと回路基板が接続される構成であってもよい。
【０１１３】
また、表示パネルはアクティブマトリックスタイプの液晶パネルに限定されるものではない。表示パネルの外縁に直接にまたは間接に回路基板を装着して用いる構成のものであれば適用でき、表示パネルの種類が限定されるものではない。たとえばアクティブマトリックスタイプ以外の液晶パネルに対しても適用できる。また、ＥＬ（Electro Luminescence）パネルにも適用できる。
【図面の簡単な説明】
【０１１４】
【図１】本発明の第一実施形態にかかる表示パネル保持部材と、この表示パネル保持部材が適用できる表示パネル組立体の構成を模式的に示した外観斜視図である。
【図２】（ａ）は、前記実施形態にかかる表示パネル保持部材に設けられる第一の保持片と第二の保持片の構成を模式的に示した外観斜視図であり、（ｂ）は、第一の保持片の構成を分かり易くするために、側壁の一部を除去して示した図である。
【図３】第一の保持片の弾性変形状態を模式的に示した図であり、（ａ）は側壁の一部を除去して分かり易く示した外観斜視図、（ｂ）は断面図である。
【図４】前記表示パネル保持部材に回路基板を装着する方法を模式的に示した断面図であり、（ａ）は回路基板を装着する途中の状態における第二の保持片と回路基板との位置関係を示し、（ｂ）は（ａ）と同じ状態における第一の保持片と回路基板との位置関係を示し、（ｃ）は回路基板が装着された状態における第二の保持片と回路基板との位置関係を示し、（ｄ）は（ｃ）と同じ状態における第一の保持片と回路基板との位置関係を示す。
【図５】前記表示パネル保持部材から回路基板を分離する手順を模式的に示した断面図であり、（ａ）は第一の保持片と回路基板との係合を解除した状態を示し、（ｂ）は（ａ）に示す状態から回路基板を前面側に移動させた状態を示し、（ｃ）は回路基板が表示パネル保持部材から分離した状態を示す。
【図６】複数の第一の保持片を備える表示パネル保持部材から回路基板を分離する手順を模式的に示した平面図であり、（ａ）はある一個の第一の保持片と回路基板との係合を解除した状態を示し、（ｂ）は、前記ある一個と他の一個の第一の保持片と回路基板との係合を解除した状態を示し、（ｃ）はすべての第一の保持片と回路基板との係合を解除した状態を示す。
【図７】第一の保持片の各種変形例を模式的に示した外観斜視図であり、（ａ）は第一の保持片の弾性アームが表示パネル保持部材の前面側に露出する構成の変形例を示し、（ｂ）は第一の保持片の弾性アームが表示パネル保持部材の前面側に突出する構成の変形例を示し、（ｃ）は第一の保持片の弾性アームの基端部が背面側に突出する構成の変形例を示す。
【図８】第二実施形態にかかる表示パネル保持部材の構成を模式的に示した外観斜視図であり、（ａ）は表示パネル保持部材の全体構造を示し、（ｂ）はこの表示パネル保持部材に設けられる第五の保持片の構成を示し、（ｃ）は第六の保持片の構成を示す。
【図９】第五の保持片の変形状態を模式的に示した図であり、（ａ）は変形後の状態を示した外観斜視図、（ｂ）は変形前後の状態を示した断面図である。
【図１０】前記表示パネル保持部材に回路基板を装着する手順を模式的に示した断面図であり、（ａ）は回路基板を組みつける途中の状態における第六の保持片と回路基板との位置関係を示した図、（ｂ）は（ａ）と同じ状態における第五の保持片と回路基板との位置関係を示した図、（ｃ）は装着後の状態における第六の保持片と回路基板との係合状態を示した図、（ｄ）は（ｃ）と同じ状態における第五の保持片と回路基板との係合状態を示した図である。
【図１１】前記表示パネル保持部材から回路基板を分離する手順を模式的に示した断面図であり、（ａ）は第五の保持片と回路基板との係合を解除した状態を示した図、（ｂ）は回路基板を前面側に移動させた状態を示した図、（ｃ）は第六の保持片と回路基板との係合が解除された状態を示した図である。
【図１２】第五の保持片と第六の保持片の変形例を示した分解斜視図であり、（ａ）は表示パネル保持部材と別体に形成される第五の保持片の構成を示した図、（ｂ）は表示パネル保持部材と別体に形成される第六の保持片の構成を示した図である。
【図１３】前記いずれかの表示パネル保持部材が適用される表示装置の構成を模式的に示した外観斜視図である。
【図１４】前記表示装置が適用されるテレビ受信機の構成を模式的に示した分解斜視図である。
【図１５】液晶表示装置の構成の従来例を示した分解斜視図である。
【符号の説明】
【０１１５】
１ａ  表示パネル保持部材
１１  表示パネル保持部材の段差面
１２  表示パネル保持部材の側壁
１３ａ  第一の保持片
１３１  第一の保持片の弾性アーム
１３２  第一の保持片の係合爪
１３３  第一の保持片の操作突起
１４ａ  第二の保持片
１５ａ  第三の保持片
１６ａ  第四の保持片
２  表示パネル組立体
２１  表示パネル
２２  ソースドライバＴＣＰ
２３  ソースドライバ
２４  ソースドライバ回路基板
２５  ゲートドライバＴＣＰ
２６  ゲートドライバ
２７  ゲートドライバ回路基板
【図１】
2008003242.tif 000003
【図２】
2008003242.tif 000004
【図３】
2008003242.tif 000005
【図４】
2008003242.tif 000006
【図５】
2008003242.tif 000007
【図６】
2008003242.tif 000008
【図７】
2008003242.tif 000009
【図８】
2008003242.tif 000010
【図９】
2008003242.tif 000011
【図１０】
2008003242.tif 000012
【図１１】
2008003242.tif 000013
【図１２】
2008003242.tif 000014
【図１３】
2008003242.tif 000015
【図１４】
2008003242.tif 000016
【図１５】
2008003242.tif 000017